(57)【特許請求の範囲】
【請求項１】
観察照明光の光量を複数の段階のうちから選択して設定する設定手段と、
被検眼の眼底に前記設定手段によって設定された光量の前記観察照明光及び撮影照明光を切り替えて投射する照明光学系と、
前記観察照明光又は前記撮影照明光の眼底反射光を受光して信号を出力する撮影手段を含む撮影光学系と、
前記撮影手段から出力された信号に基づく画像を表示する表示手段と、
前記複数の段階の観察照明光の光量にそれぞれ対応させて、事前に取得された複数の撮影光量の値に基づく平均値、中央値、最頻値、標準偏差のいずれかを光量情報として記憶する記憶手段と、
前記記憶手段に記憶される前記光量情報を参照することにより、前記眼底に投射される観察照明光の光量に対応づけられる光量情報を撮影照明光の光量に決定する決定手段と、
前記決定手段により決定された光量の撮影照明光を投射させるように前記照明光学系を制御する制御手段と、
を備えることを特徴とする眼底撮影装置。
【請求項２】
前記決定手段により決定された撮影照明光の光量を変更するための操作手段を備え、
前記制御手段は、前記操作手段により変更された光量の撮影照明光を投射させるように前記照明光学系を制御する、
ことを特徴とする請求項１に記載の眼底撮影装置。
【請求項３】
複数の撮影条件を選択的に指定する指定手段を備え、
前記記憶手段は、前記複数の撮影条件のそれぞれに対応する前記光量情報を予め記憶し、
前記決定手段は、前記指定手段により指定された撮影条件に対応する前記光量情報に基づいて撮影照明光の光量を取得する、
ことを特徴とする請求項１又は２に記載の眼底撮影装置。
【請求項４】
前記照明光学系及び／又は前記撮影光学系は、光路上に挿入可能な複数の光学フィルタを含み、
前記記憶手段は、前記複数の撮影条件としての前記複数の光学フィルタのそれぞれに対応する前記光量情報を予め記憶し、
前記指定手段は、前記複数の光学フィルタを選択的に指定し、
前記決定手段は、前記指定された光学フィルタに対応する前記光量情報に基づいて、観察照明光の光量に応じた撮影照明光の光量を取得し、
前記制御手段は、前記指定された光学フィルタを前記光路上に挿入させるように前記照明光学系及び／又は前記撮影光学系を制御するとともに、前記取得された光量の撮影照明光を投射させるように前記照明光学系を制御する、
ことを特徴とする請求項３に記載の眼底撮影装置。
【請求項５】
前記撮影光学系は、それぞれ撮影照明光を受光して信号を出力する複数の撮像装置を含み、
前記記憶手段は、前記複数の撮影条件としての前記複数の撮像装置のそれぞれに対応する前記光量情報を予め記憶し、
前記指定手段は、前記複数の撮像装置を選択的に指定し、
前記決定手段は、前記指定された撮像装置に対応する前記光量情報に基づいて、観察照明光の光量に応じた撮影照明光の光量を取得し、
前記制御手段は、前記取得された光量の撮影照明光を投射させるように照明光学系を制御するとともに、前記指定された撮像装置に該撮影照明光の眼底反射光を受光させるように前記撮影光学系を制御する、
ことを特徴とする請求項３に記載の眼底撮影装置。
【請求項６】
前記照明光学系及び前記撮影光学系は、複数の撮影種別を実施可能とされ、
前記記憶手段は、前記複数の撮影条件としての前記複数の撮影種別のそれぞれに対応する前記光量情報を予め記憶し、
前記指定手段は、前記複数の撮影種別を選択的に指定し、
前記決定手段は、前記指定された撮影種別に対応する前記光量情報に基づいて、観察照明光の光量に応じた撮影照明光の光量を取得し、
前記制御手段は、前記取得された光量の撮影照明光を投射させるように照明光学系を制御するとともに、前記指定された撮影種別を実施させるように前記照明光学系及び前記撮影光学系を制御する、
ことを特徴とする請求項３に記載の眼底撮影装置。
【請求項７】
前記記憶手段は、前記複数の撮影条件としての前記複数の被検眼の状態のそれぞれに対応する前記光量情報を予め記憶し、
前記指定手段は、前記複数の被検眼の状態を選択的に指定し、
前記決定手段は、前記指定された被検眼の状態に対応する前記光量情報に基づいて、観察照明光の光量に応じた撮影照明光の光量を取得し、
前記制御手段は、前記取得された光量の撮影照明光を投射させるように前記照明光学系を制御する、
ことを特徴とする請求項３に記載の眼底撮影装置。
【請求項８】
前記照明光学系及び前記撮影光学系は装置本体の筐体内に格納され、
前記表示手段及び前記決定手段は、前記装置本体と異なる筐体を有するコンピュータに含まれ、
前記制御手段は、前記装置本体及び／又は前記コンピュータに含まれ、
前記装置本体と前記コンピュータとの間でデータ通信を行う通信手段を備える、
ことを特徴とする請求項１〜請求項７のいずれか一項に記載の眼底撮影装置。
【発明の詳細な説明】
【技術分野】
【０００１】
この発明は、被検眼の眼底の撮影を行う眼底撮影装置に関する。
【背景技術】
【０００２】
眼底撮影装置は、眼底に照明光を照射し、その反射光を受光して眼底の形態を表す画像を取得する装置である（たとえば特許文献１を参照）。眼底の撮影においては、実際に撮影を行う前に、眼底を観察しながらアライメントやピント合わせを行うようになっている。
【０００３】
また、特許文献２に示すように、被検者に蛍光剤を投与して眼底血管を強調させて撮影を行う場合（蛍光撮影）、眼底の状態を観察して血管の見え方、つまり眼底血管への蛍光剤の流入状況を確認しながら撮影タイミングを決定して撮影を繰り返し行うようになっている。
【０００４】
【特許文献１】特開２００７−２０２７２５号公報
【特許文献２】特開２００６−１６７０６８号公報
【発明の開示】
【発明が解決しようとする課題】
【０００５】
このように、眼底を撮影する際には、撮影を好適に行うために事前に眼底を観察するのが通常である。従来の眼底撮影装置では、眼底観察用の照明光（観察照明光）の光量（観察光量）と、眼底撮影用の照明光（撮影照明光）の光量（撮影光量）とをそれぞれ個別に設定していた。より具体的には、検者は、観察光量を適宜に調整しつつ眼底を観察し、そのときの観察光量から必要な撮影光量を推測していた。そのため、次のような問題が生じていた。
【０００６】
まず、被検眼の状態により好適な撮影光量は異なる。たとえば、被検眼の瞳孔径に応じて撮影光量を調整すべきである。また、白内障等により混濁を伴う被検眼の眼底を撮影する場合には、混濁の度合いや位置に応じて撮影光量を調整すべきである。また、眼底による光の反射率に応じて撮影光量を調整すべき場合もある。このような場合、たとえば眼底撮影に熟練した検者であれば撮影光量を容易に予測できるかもしれないが、撮影光量を的確に決定することは一般的に困難であった。
【０００７】
また、撮影光量は撮影の種別によっても異なるが、撮影種別を考慮しつつ撮影光量をその都度決定するのは容易ではない。なお、撮影種別としては、たとえば、カラー撮影、可視蛍光撮影、赤外蛍光撮影などがある。
【０００８】
また、蛍光撮影においては、蛍光剤の投与からの経過時間に応じて蛍光の強さ（蛍光剤の血中濃度）が変化するため、経過時間に応じて観察光量と撮影光量の双方を調整する必要がある。このような煩雑な作業の中で撮影光量を的確に決定するのは容易ではない。
【０００９】
また、撮影光量はカメラ（撮像素子）によっても異なる。特に、複数のカメラを選択的に用いる眼底撮影装置においては、カメラの選択に応じて撮影光量を決定しなければならないが、この作業は容易とは言い難い。
【００１０】
なお、撮影が好適に実施されなかった場合には、撮影を再度行わねばならず、被検者や検者に対する負担が増大してしまう。特に蛍光撮影を再度実施するには、蛍光剤を再度投与する必要があるため、被検者に大きな負担を強いることとなる。
【００１１】
従来では、撮影光量の設定が困難な状況の下において再度の撮影を避けるために、撮影光量を変更しつつ何度も撮影を行っていたが、撮影の長時間化などの問題が発生していた。また、撮影用のフラッシュ光が被検眼に何度も照射されるなど、被検者に多大な負担が掛かることがあった。
【００１２】
この発明は、以上のような問題を解決するためになされたものであり、眼底を撮影する作業の容易化を図ることが可能な眼底撮影装置を提供することを目的とする。
【課題を解決するための手段】
【００１３】
上記目的を達成するために、本発明は、観察照明光の光量を複数の段階のうちから選択して設定する設定手段と、被検眼の眼底に前記設定手段によって設定された光量の前記観察照明光及び撮影照明光を切り替えて投射する照明光学系と、前記観察照明光又は前記撮影照明光の眼底反射光を受光して信号を出力する撮影手段を含む撮影光学系と、前記撮影手段から出力された信号に基づく画像を表示する表示手段と、前記複数の段階の観察照明光の光量にそれぞれ対応させて、事前に取得された複数の撮影光量の値に基づく平均値、中央値、最頻値、標準偏差のいずれかを光量情報として記憶する記憶手段と、前記記憶手段に記憶される前記光量情報を参照することにより、前記眼底に投射される観察照明光の光量に対応づけられる光量情報を撮影照明光の光量に決定する決定手段と、前記決定手段により決定された光量の撮影照明光を投射させるように前記照明光学系を制御する制御手段と、を備えることを特徴とする眼底撮影装置である。
【発明の効果】
【００２２】
この発明に係る眼底撮影装置によれば、眼底に投射された観察照明光の光量に基づいて撮影照明光の光量を決定し、この光量の撮影照明光を用いて眼底を撮影することができる。それにより、撮影照明光の光量を自動的に設定して撮影を行うことができるので、眼底の撮影作業の容易化を図ることが可能となる。
【発明を実施するための最良の形態】
【００２３】
この発明に係る眼底撮影装置の実施形態の一例を説明する。以下、第１の実施形態において、この発明の中心的な技術思想を説明し、第２の実施形態において、この発明の応用例を説明する。
【００２４】
〈第１の実施形態〉
図１に示す眼底撮影装置５００は、一般に眼底カメラと呼ばれる装置であり、被検眼Ｅの眼底Ｅｆを撮影するために用いられる。
【００２５】
［構成］
眼底撮影装置５００は、通常の眼底カメラと同様の光学系５１０を備えている。光学系５１０は、眼底Ｅｆの撮影を行うための各種の光学部材を含んで構成される。なお、光学系の具体例については第２の実施形態で説明する。
【００２６】
光学系５１０の照明光学系５１１は、眼底Ｅｆに照明光を投射する。特に、照明光学系５１１には、観察光源５１２と撮影光源５１３が設けられている。観察光源５１２は、眼底Ｅｆを観察する際に点灯されて観察照明光ＬＯを出力する。観察光源５１２は、たとえばハロゲンランプにより構成される。観察照明光ＬＯは、たとえば定常光（連続光）である。照明光学系５１１は、観察照明光ＬＯを被検眼Ｅに導いて眼底Ｅｆに投射する。観察光源５１２は、操作部５５０により所定の操作が為されたことに対応して点灯／消灯される。観察光源５１２の動作制御は制御部５２０が行う。
【００２７】
撮影光源５１３は、眼底Ｅｆを撮影する際に点灯されて撮影照明光ＬＰを出力する。撮影光源５１３は、たとえばキセノンランプにより構成される。撮影照明光ＬＰは、たとえばフラッシュ光である。照明光学系５１１は、撮影照明光ＬＰを被検眼Ｅに導いて眼底Ｅｆに投射する。なお、撮影光源５１３は、操作部５５０により所定の操作が為されたことに対応してフラッシュ光を出力する。撮影光源５１３の動作制御は制御部５２０が行う。
【００２８】
撮影光学系５１４は、観察照明光ＬＯの眼底反射光ＬＯ′を受光する光学系である。また、撮影光学系５１４は、撮影照明光ＬＰの眼底反射光ＬＰ′を受光する光学系である。撮影光学系５１４は、眼底反射光ＬＯ′、ＬＰ′を受光する撮像装置５１５を備えている。撮像装置５１５は、光電変換を行う撮像素子を備えている。この撮像素子としては、ＣＣＤ（Ｃｈａｒｇｅ  Ｃｏｕｐｌｅｄ  Ｄｅｖｉｃｅｓ）や、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などが用いられる。撮像装置５１５は、この発明の「撮影手段」の一例である。
【００２９】
撮像装置５１５は、観察照明光ＬＯの眼底反射光ＬＯ′を受光して電気信号を生成し、この電気信号を制御部５２０に送る。制御部５２０は、この電気信号に基づく画像を表示部５４０に表示させる。ここで、観察照明光ＬＯが定常光である場合、撮像装置５１５は所定のフレームレートで眼底反射光ＬＯ′を受光して電気信号を出力する。制御部５２０は、当該フレームレートで表示部５４０に表示させる画像を切り替える。それにより、表示部５４０には、眼底Ｅｆの動画像が表示される。検者は、この動画像を観察しつつ、被検眼Ｅに対する光学系５１０のアライメント、眼底Ｅｆに対するピント合わせ、眼底Ｅｆの状態の確認などを行う。
【００３０】
また、撮像装置５１５は、撮影照明光ＬＰの眼底反射光ＬＰ′を受光して電気信号を生成し、この電気信号を制御部５２０に送る。制御部５２０は、この電気信号に基づく画像を表示部５４０に表示させる。この画像は、たとえば診断用に参照される。また、制御部５２０は、画像記憶部（図示せず）を有し、当該画像を記憶するようになっている。
【００３１】
制御部５２０は、上記のように、観察光源５１２及び撮影光源５１３の制御や、表示部５４０の制御を行う。更に、制御部５２０は、眼底撮影装置５００の各部の制御を行う。制御部５２０は、この発明の「制御手段」の一例である。
【００３２】
光量決定部５３０は、観察照明光ＬＯの光量に基づいて撮影照明光ＬＰの光量を決定する。そのために、光量決定部５３０の記憶部５３１には、観察照明光の光量と撮影照明光の光量とを関連付ける光量情報が予め記憶されている。
【００３３】
この光量情報の一例を図２に示す。光量情報５３１ａは、観察照明光の光量（観察光量）に対して好適な撮影照明光の光量（撮影光量）を関連付けている。この実施形態では、０（小光量）〜１０（大光量）のレベルの範囲で観察光量を変更可能であるとする。観察光量のレベルの変更は、たとえば操作部５５０を用いて手動で行われる。なお、前回の撮影時に適用された観察光量を自動設定することもできるし、また、デフォルトの観察光量（たとえばレベル５）を自動設定することもできる。観察光量の自動設定は制御部５２０が行う。
【００３４】
撮影光量は、たとえばＷ・ｓ（ワット秒）を単位として表される。この実施形態では、たとえば０〜３５０Ｗ・ｓの範囲で撮影光量を変更可能であるとする。撮影光量のレベルの変更は、制御部５２０が行う。なお、操作部５５０を用いるなどして手動で撮影光量を変更することも可能である。
【００３５】
光量情報５３１ａは、たとえば、眼底の観察及び撮影を含む多数の臨床データに基づいて作成することができる。一例として、過去に実施された多数の眼底撮影における観察光量と撮影光量との関係を統計的に処理することにより、観察光量の様々な値に対応する撮影光量の値を求める。具体的には、或る観察光量値について、対応する複数の撮影光量の値の統計値（平均値、中央値、最頻値、標準偏差等）を算出し、この統計値に基づいて当該観察光量値に対応する撮影光量値を決定することができる。図２の光量情報５３１ａについては、観察光量の各レベルに対応する統計値を算出することにより作成することができる。なお、光量情報５３１ａの作成方法は、これに限定されるものではなく、たとえば眼球モデル等に基づいて理論的に作成することも可能である。
【００３６】
この発明の「光量」は、上記のような光量やレベルには限定されず、光の強度などであってもよい。また、「光量」は、照明光の光量自体である必要はなく、当該光量の照明光を出力するために必要な各種の制御量（たとえばコンデンサに蓄積して光源に供給する電荷量など）であってもよい。
【００３７】
光量決定部５３０は、観察光量の値の入力を受け、この観察光量値に関連付けられた撮影光量値を光量情報５３１ａに基づいて取得することにより、当該観察光量に対応する撮影光量を決定する。光量決定部５３０は、この発明の「決定手段」の例である。
【００３８】
表示部５４０は、制御部５２０の制御を受けて各種情報を表示する。表示部５４０は、たとえば、ＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなど、任意の表示デバイスを含んで構成される。表示部５４０は、この発明の「表示手段」の例である。
【００３９】
操作部５５０は、眼底撮影装置５００を操作するため、更には眼底撮影装置５００に各種情報を入力するために用いられる。操作部５５０は、たとえば、キーボード、マウス、トラックボール、ジョイスティック、コントロールパネルなど、任意の操作デバイスや入力デバイスを含んで構成される。操作部５５０は、この発明の「操作手段」の例である。
【００４０】
なお、図１では、表示部５４０と操作部５５０とが別々に記載されているが、表示機能と操作機能（入力機能）とを一体化したデバイスを適用することも可能である。このようなデバイスとしては、ペンタブレットやタッチパネルディスプレイなどがある。
【００４１】
［動作態様］
眼底撮影装置５００の動作態様を説明する。図３に示すフローチャートは、眼底撮影装置５００の動作態様の一例を表している。
【００４２】
まず、観察光源５１２を点灯させて、観察照明光ＬＯを被検眼Ｅに投射する（Ｓ１）。当初の観察光量としては、たとえばデフォルトの光量や、当該被検眼Ｅの前回の撮影時の光量が適用される。
【００４３】
観察照明光ＬＯは眼底Ｅｆにて反射される。撮像装置５１５は、観察照明光ＬＯの眼底反射光ＬＯ′を受光して信号を出力する。制御部５２０は、この信号に基づく眼底Ｅｆの画像（観察画像）を表示部５４０に表示させる（Ｓ２）。
【００４４】
検者は、表示された眼底Ｅｆの観察画像を観察しつつ、操作部５５０を操作してアライメントやピント合わせを行う（Ｓ３）。
【００４５】
このとき、検者は、必要に応じ（観察画像が見にくい場合など）、操作部５５０を操作して観察光量を調整する（Ｓ４）。制御部５２０は、観察光量の調整操作がなされる度毎に、観察光源５１２を制御して観察光量を変更するとともに、この新たな観察光量の値を光量決定部５３０に送る。光量決定部５３０は、光量情報５３１ａに基づいて、この観察光量に関連付けられた撮影光量を取得する（Ｓ５）。なお、観察光量が変更されない場合、光量決定部５３０は、当初の観察光量に関連付けられた撮影光量を取得する。
【００４６】
アライメント等が完了したら、検者は、操作部５５０を操作して、眼底Ｅｆの画像撮影を指示する（Ｓ６）。制御部５２０は、撮影光源５１３を制御し、ステップ５で取得された撮影光量の撮影照明光ＬＰ（フラッシュ光）を出力させる（Ｓ７）。
【００４７】
撮影照明光ＬＰは眼底Ｅｆにて反射される。撮像装置５１５は、撮影照明光ＬＰの眼底反射光ＬＰ′を受光して信号を出力する。制御部５２０は、この信号に基づく眼底Ｅｆの画像（撮影画像）を表示部５４０に表示させる（Ｓ８）。
【００４８】
検者は、表示された撮影画像を確認する（Ｓ９）。満足な撮影画像が得られた場合には（Ｓ９：Ｙ）、検査を終了する。
【００４９】
一方、この撮影画像で満足できない場合、検者は、操作部５５０を操作して撮影光量を変更する（Ｓ１０）。そして、検者は、操作部５５０を操作して、眼底Ｅｆの画像撮影を再度指示する（Ｓ６）。ステップ６〜ステップ１０を満足な撮影画像が得られるまで繰り返し、検査は終了となる。以上で、眼底撮影装置５００の動作態様の説明を終了する。
【００５０】
なお、上記の動作態様では、観察光量が変更される度毎に撮影光量を決定しているが、撮影光量を決定する処理を実行するタイミングはこれに限定されるものではない。たとえば、撮影の指示（ステップＳ６）がなされたことに対応して、この指示の直前の観察光量に応じた撮影光量を求め、この撮影光量の撮影照明光を出力して眼底Ｅｆを撮影するように構成することが可能である。なお、この場合には、撮影の指示から撮影照明光の出力までの時間差を小さくするために、処理性能の高いマイクロプロセッサを用いるなどの工夫を施すことが望ましい。
【００５１】
［作用・効果］
眼底撮影装置５００の作用及び効果を説明する。
【００５２】
眼底撮影装置５００の照明光学系５１１は、観察照明光ＬＯと撮影照明光ＬＰとを切り替えて眼底Ｅｆに投射し、撮影光学系５１４は、観察照明光ＬＯの眼底反射光ＬＯ′や撮影照明光ＬＰの眼底反射光ＬＰ′を受光して信号を出力する撮像装置５１５を有する。表示部５４０は、これらの信号に基づく眼底Ｅｆの画像を表示する。
【００５３】
光量決定部５３０は、眼底Ｅｆに投射された観察照明光ＬＯの光量（観察光量）に基づいて撮影照明光ＬＰの光量（撮影光量）を決定する。特に、光量決定部５３０は、記憶部５３１に予め記憶された光量情報５３１ａを参照して撮影光量を決定する。
【００５４】
制御部５２０は、検者による撮影の指示を受けて、光量決定部５３０により決定された撮影光量の撮影照明光ＬＰを眼底Ｅｆに投射させるように照明光学系５１１（撮影光源５１３）を制御する。
【００５５】
このように、眼底撮影装置５００によれば、観察光量の設定値に応じた撮影光量を自動的に決定することができるので、眼底Ｅｆの撮影作業の容易化を図ることが可能である。
【００５６】
なお、自動的に決定された撮影光量が適当でなかった場合には、撮影光量を手動で調整することが可能である。この場合であっても、被検眼Ｅの状態が通常と大きく異なるようなケース（たとえば混濁が強い被検眼など）を除けば、撮影光量の調整量は一般に小さくて済む。したがって、試行錯誤して適切な撮影光量を探す必要のあった従来の装置と比較して、撮影光量の設定作業を容易に行うことができる。
【００５７】
〈第２の実施形態〉
この実施形態に係る眼科撮影装置の全体構成の一例を図４に示す。この眼科撮影装置は、眼底画像を撮影するための眼底カメラ１と、コンピュータ３０とを含んで構成される。眼底カメラ１とコンピュータ３０は、それぞれ異なる筐体を有している。眼底カメラ１は、この発明の「装置本体」の一例である。以下、眼底カメラ１及びコンピュータ３０の構成をそれぞれ説明する。
【００５８】
［眼底カメラの構成］
眼底カメラ１の構成について、図４〜図８を参照しながら説明する。ここで、図５は眼底カメラ１の外観構成の一例を示している。また、図６〜図８は眼底カメラ１の光学系の構成の一例を示している。
【００５９】
眼底カメラ１は、図５に示すように、ベース２上に前後左右方向（水平方向）にスライド可能に搭載された架台３を備えている。架台３には、検者が各種操作を行うための操作パネル３ａとジョイスティック４が設置されている。
【００６０】
オペレータ（検者）は、操作パネル３ａを用いることにより、眼底カメラ１や眼科撮影装置に対して各種の動作を指示する。また、操作パネル３ａは、装置の設定や情報入力に用いられる。
【００６１】
操作パネル３ａの表示部１４は、制御部１１による制御にしたがって、各種の画面や情報を表示する。表示部１４は、たとえばＬＣＤ等の表示デバイスによって構成される。操作部１５には、たとえば、撮影画角（撮影倍率）の設定操作、観察光量や撮影光量の設定操作、被検者の選択操作などの各種操作を行うためのボタンやキー等が設けられている。また、操作パネル３ａは、表示部１４と操作部１５とを一体的に構成したタッチパネルディスプレイ等のデバイスを備えていてもよい。
【００６２】
操作パネル３ａは、特に、撮影条件を指定するために用いられる。なお、撮影条件とは、眼底を撮影する際に考慮される各種の条件を意味する。撮影条件の例としては、撮影に適用される光学フィルタ、撮影に使用される撮像装置、撮影種別、被検眼の状態などがある。光学フィルタ、撮像装置及び撮影種別については後述する。被検眼の状態としては、健常眼、白内障眼などの種別がある。また、被検眼の状態には、眼球の混濁位置や混濁度合いなど、被検眼の混濁状態を表す情報が含まれていてもよい。
【００６３】
撮影条件の指定は、たとえば、表示部１４に表示された選択肢を操作部１５を用いて指定することにより行う。また、撮影条件を指定するためのボタンやキーを操作部１５に設けるようにしてもよい。
【００６４】
また、操作パネル３ａは、撮影光量を手動で変更するためにも使用される。撮影光量の手動変更は、たとえば、専用のボタンやキーを用いて行う。また、撮影光量を変更するための画面を表示部１４に表示させ、当該画面を参照しつつ操作部１５を操作することにより撮影光量を指定できるように構成することも可能である。
【００６５】
このような操作パネル３ａは、この発明の「指定手段」及び「操作手段」の一例として機能する。
【００６６】
また、検者は、ジョイスティック４を操作することによって、架台３をベース２上において３次元的に移動させることができる。ジョイスティック４の頂部には、眼底の撮影を指示するときなどに押下される操作ボタン４ａが配設されている。
【００６７】
ベース２上には支柱５が立設されている。支柱５には、被検者の顎部を載置するための顎受け６ａと、被検者の額が当接される額当て６ｂとが設けられている。また、支柱５には、被検眼Ｅを固視させるための光を発する外部固視灯７が設けられている。
【００６８】
架台３上には、眼底カメラ１の各種の光学系や制御系を格納する本体部８が搭載されている。なお、制御系は、ベース２や架台３の内部等に設けられていることもあるし、眼底カメラ１に接続されたコンピュータ３０等の外部装置に設けられていることもある。
【００６９】
本体部８の側面には、眼底撮影に使用するフィルタを切り替えるためのフィルタ変更操作部３ｂが設けられている。フィルタ変更操作部３ｂは、たとえば、回転可能に形成されたノブによって構成される。フィルタ変更操作部３ｂを所望の位置まで回転させると、その回転位置に応じて後述のフィルタ部１０５、１２２に設けられた複数のフィルタのうちの所望の一つが光路上に配置される。また、フィルタ変更操作部３ｂを操作することにより、全てのフィルタを光路上から退避させることもできるし、フィルタ部１０５、１２２のいずれか一方における一つのフィルタを光路上に配置させつつ、他方における全てのフィルタを光路上から退避させることもできる。
【００７０】
フィルタ変更操作部３ｂが操作されると、その操作結果に応じた信号が制御部１１に入力される。具体例としては、上記のようにフィルタ変更操作部３ｂがノブにより構成される場合、その回転位置を検出して制御部１１に信号を入力するエンコーダをフィルタ変更操作部３ｂに設ける。なお、光学フィルタを変更するための構成は、このような電気的な構成に限定されるものではない。たとえば、歯車等を用いた機械的な機構によりフィルタを変更するように構成することが可能である。
【００７１】
本体部８の被検眼Ｅ側（図５の紙面左方向）には、被検眼Ｅに対峙して配置される対物レンズ部８ａが設けられている。また、本体部８の検者側（図５の紙面右方向）には、被検眼Ｅの眼底を肉眼観察するための接眼レンズ部８ｂが設けられている。
【００７２】
更に、本体部８には、被検眼Ｅの眼底画像を撮影するための二つの撮像装置９、１０が設けられている。撮像装置９、１０は、それぞれ本体部８に対して着脱可能に形成されている。すなわち、様々な形態の撮像装置を適宜に本体部８に装着することができる。撮像装置９、１０は、撮像装置自体の形態により特定されるものではなく、本体部８のどの部位に装着されているかによって特定される。
【００７３】
各撮像装置９、１０は、ＣＣＤやＣＭＯＳ等の撮像素子９ａ、１０ａを搭載したデジタルカメラであってもよいし、フィルム媒体に画像を形成する光学カメラであってもよい。図４や図６に示すように双方がデジタルカメラである場合、各撮像装置９、１０は、その撮影画像のデータ（撮影信号）をそれぞれ接続線Ｌ１、Ｌ２を通じてコンピュータ３０に送信する。コンピュータ３０は、この撮影信号に基づいて撮影画像を表示したり、データベース化して保管するなどの処理を行う。撮像装置９、１０は、この発明の「撮影手段」の一例として機能する。
【００７４】
撮像装置９、１０は、たとえば異なる波長領域の光を受光する撮像素子９ａ、１０ａを具備していてもよい。たとえば、撮像装置９の撮像素子９ａは可視領域の光を受光し、撮像装置１０の撮像素子１０ａは可視領域及び赤外領域の光を受光するように構成することができる。
【００７５】
また、撮像装置９の撮像素子９ａはカラー撮影に用いられるものとし、撮像装置１０の撮像素子１０ａはモノクロ撮影に用いられるものとしてもよい。撮像装置９には、撮像素子９ａの撮影感度（ＩＳＯ感度）や撮影画素数などの撮影条件を変更する制御回路が設けられている。一方、撮像装置１０には、撮像素子１０ａの撮影感度（ゲイン（Ｇａｉｎ））や撮影画素数などの撮影条件を変更する制御回路が設けられている。
【００７６】
なお、この実施形態に係る眼底カメラ１には二台の撮像装置が設けられているが、一台又は三台以上の任意台数の撮像装置を設けた構成を適用することも可能である。
【００７７】
〔眼底カメラの光学系の構成〕
次に、眼底カメラ１の光学系の構成について図６を参照しながら説明する。眼底カメラ１の光学系は、照明光学系１００と撮影光学系１２０とを有している。照明光学系１００は、被検眼Ｅの眼底Ｅｆに照明光を投射するように作用する。撮影光学系１２０は、眼底Ｅｆに投射された照明光の反射光（眼底反射光）を接眼レンズ部８ｂや撮像装置９、１０に導くように作用する。
【００７８】
（照明光学系）
照明光学系１００は、観察光源１０１、コンデンサレンズ１０２、撮影光源１０３、コンデンサレンズ１０４、フィルタ部１０５、リング透光板１０７、ミラー１０８、ＬＣＤ１０９、照明絞り１１０、リレーレンズ１１１、孔開きミラー１１２、対物レンズ１１３を含んで構成されている。
【００７９】
観察光源１０１は、眼底Ｅｆを肉眼や画像で観察するための観察照明光を出力する。観察照明光は、たとえば定常光（連続光）である。観察光源１０１は、たとえばハロゲンランプによって構成される。コンデンサレンズ１０２は、観察光源１０１から発せられた観察照明光を集光して平行光束にする。それにより、観察照明光は眼底Ｅｆをほぼ均等に照明するようになる。
【００８０】
撮影光源１０３は、眼底Ｅｆの撮影を行うときにフラッシュ発光される光源である。撮影光源１０３は、たとえばキセノンランプによって構成される。コンデンサレンズ１０４は、撮影光源１０３から発せられたフラッシュ光（撮影照明光）を集光して平行光束にする。それにより、撮影照明光を眼底Ｅｆをほぼ均等に照射するようになる。
【００８１】
フィルタ部１０５は、照明光学系１００の光路上に選択的に配置される複数の光学フィルタを具備している。フィルタ部１０５は、たとえば図７に示すように、複数（７個）の光学フィルタ１０５ａ〜１０５ｇが円周方向に沿って配設された円板（ターレット）によって構成される。なお、符号１０５ｈは、円形状の孔部（若しくは透明板）を示す。光学フィルタ１０５ａ〜１０５ｈ（記載簡略化のため、孔部１０５ｈも「光学フィルタ」と称することがある。）以外のフィルタ部１０５の領域は、光を透過させないようになっている。
【００８２】
フィルタ部１０５は、その中心位置に設けられた回転軸１０５Ａを中心として回転可能に保持されている。回転軸１０５Ａは、照明光学系１００の光路上から外れた位置に設けられている。より具体的には、回転軸１０５Ａは、自身を中心にフィルタ部１０５が回転したときに、光学フィルタ１０５ａ〜１０５ｈが択一的に光路上に挿入されるような位置に配設されている。
【００８３】
光学フィルタ１０５ａ〜１０５ｇについて説明する。光学フィルタ１０５ａ〜１０５ｇとしては、たとえば、カラー撮影用のフィルタ、ＦＡ（フルオレセイン蛍光造影撮影；可視蛍光撮影）用のエキサイタフィルタ、ＩＣＧ（インドシアニングリーン蛍光造影撮影；赤外蛍光撮影）用のエキサイタフィルタ、自発蛍光撮影用のエキサイタフィルタ、レッドフリー撮影用のフィルタなどが用いられる。なお、これら以外にも、この眼科撮影装置による検査内容などに応じた任意の光学フィルタを用いることができる。
【００８４】
フィルタ部１０５は、前述したフィルタ変更操作部３ｂに対する操作に連動して回転し、光路上に配置される光学フィルタを切り替える。ここで、フィルタ変更操作部３ｂとフィルタ部１０５との連動の態様は任意である。たとえば、フィルタ変更操作部３ｂに対する回転動作を歯車などを介して伝達してフィルタ部１０５を回転させる機械的な機構により当該連動動作を実現することができる。また、フィルタ変更操作部３ｂの回転位置を検出するエンコーダと、このエンコーダからの出力信号に基づいてフィルタ部１０５を回転させるモータとを含む電気的構成により当該連動動作を実現することも可能である。
【００８５】
リング透光板１０７は、円環形状の透光領域からなるリング透光部１０７ａを有する板状の光学部材である。リング透光板１０７は、被検眼Ｅの瞳孔と共役な位置に、かつ、リング透光部１０７ａの中心が照明光学系１００の光軸に位置するようにして配設されている。ミラー１０８は、観察光源１０１や撮影光源１０３が発した照明光を撮影光学系１２０の光軸方向に反射させる。ＬＣＤ１０９は、被検眼Ｅの固視を行うための固視標（内部固視標：図示せず）などを表示する。
【００８６】
照明絞り１１０は、照明光の一部を遮蔽する絞り部材である。照明絞り１１０は、照明光学系１００の光軸方向に移動可能に構成されている。それにより、照明光が照射される眼底Ｅｆ上の範囲（照明領域）を調整することができる。このような照明絞り１１０を用いることにより、フレア防止などの効果が得られる。
【００８７】
孔開きミラー１１２は、照明光学系１００の光軸と撮影光学系１２０の光軸とを合成する光学素子である。孔開きミラー１１２の中心領域には孔部１１２ａが開口されている。照明光学系１００の光軸と撮影光学系１２０の光軸は、孔部１１２ａの略中心位置にて交差するようになっている。対物レンズ１１３は、本体部８の対物レンズ部８ａ内に設けられている。
【００８８】
このような構成を有する照明光学系１００は、次のような態様で眼底Ｅｆを照明する。最初に、眼底観察を行う場合について説明する。まず、フィルタ変更操作部３ｂを操作して、観察方法に応じた光学フィルタ１０５ａ〜１０５ｈを光路上に配置させ、観察光源１０１から観察照明光を出力させる。観察照明光は、コンデンサレンズ１０２、１０４を介してリング透光板１０７を照射する。リング透光板１０７のリング透光部１０７ａを通過した光は、ミラー１０８により反射され、ＬＣＤ１０９、照明絞り１１０及びリレーレンズ１１１を経由して孔開きミラー１１２により反射される。孔開きミラー１１２により反射された観察照明光は、撮影光学系１２０の光軸方向に進行し、対物レンズ１１３により集束されて被検眼Ｅに入射して眼底Ｅｆを照明する。
【００８９】
このとき、リング透光板１０７が被検眼Ｅの瞳孔に共役な位置に配置されていることから、被検眼Ｅに入射する観察照明光のリング状の像が瞳孔上に形成される。観察照明光の眼底反射光は、この瞳孔上のリング状の像の中心暗部を通じて被検眼Ｅから出射する。このように、被検眼Ｅに入射する照明光と、その眼底反射光とを分離することにより、被検眼Ｅに入射する観察照明光が眼底反射光に与える影響を防止するようになっている。
【００９０】
次に、眼底Ｅｆを撮影する場合について説明する。まず、フィルタ変更操作部３ｂを操作して、撮影方法に応じた光学フィルタ１０５ａを光路上に配置させ、操作ボタン４ａを押下して撮影光源１０３から撮影照明光をフラッシュ発光させる。撮影照明光は、観察照明光と同様の経路を介して眼底Ｅｆに照射される。
【００９１】
（撮影光学系）
続いて、撮影光学系１２０について説明する。撮影光学系１２０は、対物レンズ１１３、孔開きミラー１１２（の孔部１１２ａ）、撮影絞り１２１、フィルタ部１２２、フォーカスレンズ１２４、変倍レンズ１２５、結像レンズ１２６、クイックリターンミラー１２７及び撮像装置９を含んで構成される。
【００９２】
照明光の眼底反射光は、前述のように、瞳孔上のリング状の像の中心暗部を通じて被検眼Ｅから出射する。被検眼Ｅから出射した眼底反射光は、孔開きミラー１１２の孔部１１２ａを通じて撮影絞り１２１に入射する。孔開きミラー１１２は、照明光の角膜反射光を反射する。それにより、角膜反射光に起因するフレアの発生を防止するように作用する。
【００９３】
撮影絞り１２１は、大きさの異なる複数の円形の透光部が形成された板状の部材である。複数の透光部は、絞り値（Ｆ値）の異なる絞りを構成する。これら透光部は、図示しない駆動機構によって択一的に光路上に配置されるようになっている。
【００９４】
フィルタ部１２２は、撮影光学系１２０の光路上に選択的に配置される複数の光学フィルタを具備している。このフィルタ部１２２は、たとえば図８に示すように、複数（７個）の光学フィルタ１２２ａ〜１２２ｇが円周方向に沿って配設されたターレットによって構成される。なお、符号１２２ｈは、円形状の孔部（若しくは透明板）を示す。光学フィルタ１２２ａ〜１２２ｈ（孔部１２２ｈを「光学フィルタ」と称することがある。）以外のフィルタ部１２２の領域は、光を透過させないようになっている。
【００９５】
フィルタ部１２２は、その中心位置に設けられた回転軸１２２Ａを中心として回転可能に保持されている。回転軸１２２Ａは、撮影光学系１２０の光路上から外れた位置に配設されている。より具体的には、回転軸１２２Ａは、自身を中心にフィルタ部１２２が回転したときに、光学フィルタ１２２ａ〜１２２ｈが択一的に光路上に挿入されるような位置に配設されている。
【００９６】
光学フィルタ１２２ａ〜１２２ｇとしては、たとえば、カラー撮影用のフィルタ、ＦＡ用のバリアフィルタ、ＩＣＧ用のバリアフィルタ、自発蛍光撮影用のバリアフィルタなどが用いられる。なお、これら以外にも、当該眼科撮影装置による検査内容などに応じた任意の光学フィルタを用いることができる。
【００９７】
フィルタ部１２２は、前述したフィルタ変更操作部３ｂに対する操作に連動して回転し、光路上に配置される光学フィルタを切り替えるように動作する。フィルタ変更操作部３ｂとフィルタ部１２２との連動の態様は、フィルタ部１２２の場合と同様に任意である。
【００９８】
この実施形態では、フィルタ変更操作部３ｂを操作したことに対応し、フィルタ部１０５、１２２の双方が連動して光学フィルタを変更するようになっているが、各フィルタ部１０５、１２２についてそれぞれフィルタ変更操作部を設ける構成を採用することも可能である。
【００９９】
また、後述のように、光学フィルタ１０５ａ〜１０５ｇと光学フィルタ１２２ａ〜１２２ｇとを、それぞれこの順序で組み合わせて使用する場合、一方の光学フィルタは円形状の孔部又は透明板であってもよい。たとえば、組み合わせて使用される光学フィルタ１０５ｅ、１２２ｅのうちの一方を、透過光に影響を与えない孔部や透明板とすることができる。なお、一方を孔部や透明板にする代わりに、他方の光学フィルタと、孔部（透明板）１０５ｈ又は孔部（透明板）１２２ｈとを組み合わせて使用するように制御することも可能である。たとえば、光学フィルタ１２２ｅを孔部等にする代わりに、光学フィルタ１０５ｅと光学フィルタ１２２ｈとを組み合わせるように制御を行うことができる。
【０１００】
フォーカスレンズ１２４は、後述するフォーカスレンズ駆動部１７によって撮影光学系１２０の光軸方向に移動可能とされている。それにより、眼底観察時や眼底撮影時においてフォーカスを合わせることができる。また、変倍レンズ１２５は、後述する変倍レンズ駆動部１６により光路上に挿脱されて画角（倍率）を変更するように作用する。また、結像レンズ１２６は、被検眼Ｅからの眼底反射光を撮像装置９の撮像素子９ａ上に結像させるように作用する。
【０１０１】
クイックリターンミラー１２７は、図示しない駆動機構によって回動軸１２７ａ周りに回動可能に設けられている。撮像装置９で眼底を撮影する場合、光路上に斜設されているクイックリターンミラー１２７を上方に跳ね上げて、眼底反射光を撮像装置９に導くようになっている。一方、撮像装置１０による眼底撮影時や、検者の肉眼による眼底観察時には、クイックリターンミラー１２７を光路上に斜設配置させた状態で、眼底反射光を上方に向けて反射するようになっている。
【０１０２】
撮影光学系１２０には、更に、クイックリターンミラー１２７により反射された眼底反射光を案内するための、フィールドレンズ（視野レンズ）１２８、切換ミラー１２９、接眼レンズ１３０、リレーレンズ１３１、反射ミラー１３２、撮影レンズ１３３及び撮像装置１０が設けられている。
【０１０３】
切換ミラー１２９は、クイックリターンミラー１２７と同様に、回動軸１２９ａ周りに回動可能とされている。この切換ミラー１２９は、肉眼による眼底観察時には光路上に斜設された状態で眼底反射光を接眼レンズ１３０に向けて反射する。
【０１０４】
また、撮像装置１０を用いて眼底画像を撮影するときには、切換ミラー１２９を光路上から退避して、眼底反射光を撮像素子１０ａに向けて導く。この眼底反射光は、リレーレンズ１３１を経由して反射ミラー１３２により反射され、撮影レンズ１３３によって撮像素子１０ａに結像されることになる。
【０１０５】
〔眼底カメラの制御系の構成〕
眼底カメラ１の制御系の構成について、図４を参照しながら説明する。眼底カメラ１には、前述した構成部分以外に、制御部１１、記憶部１２、通信部１３及び変倍レンズ駆動部１６が設けられている。以下、これら各部を中心とする制御系について説明する。
【０１０６】
（制御部）
制御部１１は、眼底カメラ１の各部の動作を制御する。具体的には、制御部１１は、観察光源１０１及び撮影光源１０３の点灯／消灯の制御や照明光量の制御を行う。また、制御部１１は、通信部１３によるデータの送信・受信動作の制御や、変倍レンズ駆動部１６及びフォーカスレンズ駆動部１７の動作制御を行う。また、制御部１１は、各撮像装置９、１０の撮影感度や撮影画素数の制御を行う。また、制御部１１は、操作パネル３ａの制御、すなわち、表示部１４による表示動作の制御や、操作部１５に対する操作に応じた眼底カメラ１の動作制御を行う。また、制御部１１は、情報を記憶部１２に記憶させたり、記憶部１２に記憶されている情報を読み出したりする。また、制御部１１は、必要に応じて各種の演算処理を行う。
【０１０７】
制御部１１は、ＣＰＵ（Ｃｅｎｔｒａｌ  Ｐｒｏｃｅｓｓｉｎｇ  Ｕｎｉｔ）等のマイクロプロセッサを含んで構成されている。更に制御部１１には、このマイクロプロセッサに上述の動作を実行させるコンピュータプログラムを記憶したＲＯＭ（Ｒｅａｄ  Ｏｎｌｙ  Ｍｅｍｏｒｙ）やハードディスクドライブ等の記憶装置が設けられている。
【０１０８】
（記憶部）
記憶部１２は、眼底カメラ１による動作や処理に供される各種の情報を記憶する。記憶部１２は、たとえばＲＡＭ（Ｒａｎｄｏｍ  Ａｃｃｅｓｓ  Ｍｅｍｏｒｙ）やＲＯＭやハードディスクドライブ等の記憶装置を含んで構成される。
【０１０９】
（通信部）
通信部１３は、コンピュータ３０との間の双方向のデータ通信を行う。通信部１３としては、たとえばＵＳＢ（Ｕｎｉｖｅｒｓａｌ  Ｓｅｒｉａｌ  Ｂｕｓ）などの任意の規格に準拠した通信インターフェイスを用いることができる。図４においては、接続線Ｌを通じてＵＳＢ等に準拠したデータ通信を行うようになっている。なお、接続線Ｌ１、Ｌ２は、撮像装置９、１０から出力される撮影信号をコンピュータ３０に伝送するためのケーブルである。
【０１１０】
（変倍レンズ駆動部）
変倍レンズ駆動部１６は、撮影光学系１２０の光路上に変倍レンズ１２５を挿脱させる駆動機構である。変倍レンズ駆動部１６は、たとえば、駆動力を発生するモータ等のアクチュエータと、発生された駆動力を変倍レンズ１２５に伝達する歯車等の伝達機構とを含んで構成される。また、ソレノイド等を用いて変倍レンズ駆動部１６を構成することもできる。
【０１１１】
（フォーカスレンズ駆動部）
フォーカスレンズ駆動部１７は、撮影光学系１２０の光軸方向に沿ってフォーカスレンズ１２４を移動させる駆動機構である。フォーカスレンズ駆動部１７は、たとえば、駆動力を発生するモータ等のアクチュエータと、発生された駆動力をフォーカスレンズ１２４に伝達する歯車等の伝達機構とを含んで構成される。
【０１１２】
［コンピュータの構成］
コンピュータ３０の構成について、図４及び図９を参照しながら説明する。図９は、コンピュータ３０のハードウェア構成の一例を表している。
【０１１３】
〔コンピュータのハードウェア構成〕
コンピュータ３０は、マイクロプロセッサ４１、主記憶装置４２、外部記憶装置４３、画像記憶装置４４、表示デバイス４５、操作デバイス４６及び通信インターフェイス４７を含んで構成される。これら各部４１〜４７は、バス（Ｂｕｓ）４８を介して互いに接続されている。
【０１１４】
マイクロプロセッサ４１は、ＣＰＵ等を含んで構成され、コンピュータ３０に関する各種の演算処理や制御処理を実行する。主記憶装置４２は、ＲＡＭ等によって構成されている。外部記憶装置４３は、マイクロプロセッサ４１に後述の処理を実行させる各種のコンピュータプログラムやデータを記憶するハードディスクドライブやＲＯＭ等によって構成されている。マイクロプロセッサ４１は、外部記憶装置４３に記憶されたコンピュータプログラムやデータを主記憶装置４２に展開することにより後述の処理を実行する。
【０１１５】
画像記憶装置４４は、撮像装置９、１０により撮影された画像の画像データが記憶される。また、画像記憶装置４４には、各被検者の検査情報が記憶される。この検査情報は、撮影画像の画像データや、撮影時の設定状態を示す情報や、その他のカルテ情報などを含んでいる。これらの情報は、各被検者の識別情報（患者ＩＤ、患者氏名等の被検者識別情報）によって検索可能な状態で記憶されている。
【０１１６】
画像記憶装置４４は、ハードディスクドライブ等の大容量の記憶装置を含んで構成される。なお、図９に示す例では、外部記憶装置４３と画像記憶装置４４とをそれぞれ個別に設けているが、これらを単一のハードディスクドライブ等により構成してもよい。また、画像記憶装置４４は、コンピュータ３０に内蔵されている必要はなく、たとえば、コンピュータ３０によりアクセス可能なサーバやＮＡＳ（Ｎｅｔｗｏｒｋ  Ａｔｔａｃｈｅｄ  Ｓｔｏｒａｇｅ）等により構成することもできる。
【０１１７】
表示デバイス４５は、マイクロプロセッサ４１により制御されて、各種の画面や画像などを表示する。表示デバイス４５は、たとえばＬＣＤやＣＲＴ（Ｃａｔｈｏｄｅ  Ｒａｙ  Ｔｕｂｅ）ディスプレイなどの表示装置により構成される。
【０１１８】
操作デバイス４６は、コンピュータ３０や眼底カメラ１を操作するための情報入力を行うための装置である。操作デバイス４６は、たとえばキーボード、マウス、トラックボール、ジョイスティック、コントロールパネルなどの任意の入力装置（操作装置）によって構成される。
【０１１９】
なお、この実施形態においては、表示デバイス４５と操作デバイス４６とを別々に記載しているが、たとえばタッチパネル方式のＬＣＤやペンタブレットのように、表示機能と操作機能とを一体化させた機器を適用することも可能である。
【０１２０】
通信インターフェイス４７は、接続線Ｌ、Ｌ１、Ｌ２を介してデータ通信を行うための装置である。通信インターフェイス４７には、接続線Ｌを介するデータ通信用のＵＳＢ等の規格に準拠した通信インターフェイスが含まれている。更に、通信インターフェイス４７は、接続線Ｌ１、Ｌ２を通じて撮像装置９、１０からの撮影信号を受信するための通信インターフェイスを含んでいる。
【０１２１】
なお、コンピュータ３０側から撮像装置９、１０を直接に制御する場合、通信インターフェイス４７は、接続線Ｌ１、Ｌ２を介して制御信号を送信するための通信インターフェイスを具備する。
【０１２２】
また、コンピュータ３０は、医療機関内の情報システムに接続されている場合がある。その場合、通信インターフェイス４７は、ＬＡＮカード等のネットワークインターフェイス等を含んで構成される。また、モデム等の通信機器を設けて、インターネット等の広域通信を行えるようにしてもよい。
【０１２３】
〔コンピュータの機能的構成〕
以上のようなハードウェア構成を有するコンピュータ３０の機能的構成について、図４を参照しながら説明する。コンピュータ３０には、データ処理部３１、表示部３５、操作部３６、画像データ記憶部３７及び通信部３８が設けられている。
【０１２４】
（表示部、操作部、画像データ記憶部、通信部）
まず、表示部３５、操作部３６、画像データ記憶部３７及び通信部３８について説明する。表示部３５は、図９の表示デバイス４５を含んで構成される。表示部３５は、データ処理部３１により制御されて、撮像装置９、１０からの撮影信号に基づく眼底画像や、眼底カメラ１の設定に関する情報などの各種情報を表示する。表示部３５は、この発明の「表示手段」の一例として機能する。
【０１２５】
操作部３６は、図９の操作デバイス４６を含んで構成される。ユーザによる操作を受けると、操作部３６は、その操作内容に応じた信号をデータ処理部３１に入力する。データ処理部３１は、この信号に基づいて、当該操作に対応する動作をコンピュータ３０に実行させる。操作部３６は、この発明の「指定手段」及び「操作手段」の一例である。
【０１２６】
画像データ記憶部３７は、眼底カメラ１により撮影された眼底画像等の各種画像の画像データを記憶する。画像データ記憶部３７は、図９の画像記憶装置４４を含んで構成される。
【０１２７】
通信部３８は、眼底カメラ１等の装置の間でデータ通信を行う。通信部３８は、図９の通信インターフェイス４７により構成される。通信部３８は、眼底カメラ１の通信部１３とともに、この発明の「通信手段」の一例として機能する。
【０１２８】
（データ処理部）
データ処理部３１は、各種のデータ処理を実行する。特に、データ処理部３１は、眼底カメラ１による画像撮影及びその撮影画像に関する各種のデータ処理を行う。データ処理部３１は、たとえば、マイクロプロセッサ４１、主記憶装置４２及び外部記憶装置４３を含んで構成される。
【０１２９】
データ処理部３１には、記憶部３２、制御部３３及び光量決定部３４が設けられている。制御部３３は、コンピュータ３０の各部の動作制御を行う。
【０１３０】
記憶部３２は、データ処理に供される各種の情報を記憶している。特に、記憶部３２は、図１０〜図１４に示す情報を予め記憶している。ここで、図１０〜図１２に示す情報３２ａ〜３２ｃを「関連情報」と称する。
【０１３１】
また、図１３に示す情報３２ｄを「光量テーブル」と称し、図１４に示す情報３２ｄ′を「光量グラフ」と称する。光量テーブル３２ｄ及び光量グラフ３２ｄ′は、この発明の「光量情報」の一例である。なお、光量テーブル３２ｄと光量グラフ３２ｄ′は、同じ内容の情報であるので、これらのうちの一方のみが記憶部３２に記憶されていれば十分である。記憶部３２は、この発明の「記憶手段」の一例として機能する。
【０１３２】
図１０に示す関連情報３２ａは、光学フィルタ１０５ａ〜１０５ｈ、１２２ａ〜１２２ｈと、撮影種別と、プロシジャ（ｐｒｏｃｅｄｕｒｅ）とを関連付ける情報である。ここで、撮影種別とは、撮影方法の種類を示すものであり、カラー撮影、ＦＡ撮影、ＩＣＧ撮影、自発蛍光撮影、グリーン撮影、ブルー撮影などがある。また、プロシジャとは、当該撮影種別において適用される撮影手順（使用する撮像装置９、１０やその設定状態等）の種別を意味している。
【０１３３】
この実施形態では、２つのフィルタ部１０５、１２２の光学フィルタは、次のような組合せで使用されるものとする：（１）光学フィルタ１０５ｈ、１２２ｈ（孔部／透明板）は、カラー撮影時に使用される；（２）光学フィルタ１０５ａ、１２２ａは、ＦＡ撮影時に使用される；（３）光学フィルタ１０５ｂ、１２２ｂは、ＩＣＧ撮影時に使用される；（４）光学フィルタ１０５ｃ、１２２ｃは、自発蛍光撮影時に使用される；（５）光学フィルタ１０５ｄ、１２２ｄは、グリーン撮影時に使用される；（６）光学フィルタ１０５ｅ、１２２ｅは、ブルー撮影時に使用される。なお、この構成を適用する場合、光学フィルタ１２２ｄ、１２２ｅとして孔部又は透明板が用いられる。また、図示は省略するが、光学フィルタ１０５ｆ、１２２ｆや光学フィルタ１０５ｇ、１２２ｇは、それぞれ、たとえばレッドフリー撮影などの他の撮影種別において使用される。
【０１３４】
また、図１０の関連情報３２ａにおける「フィルタ８」は光学フィルタ１０５ｈ、１２２ｈの組合せを示し、「フィルタ１」は光学フィルタ１０５ａ、１２２ａの組合せを示し、「フィルタ２」は光学フィルタ１０５ｂ、１２２ｂの組合せを示し、「フィルタ３」は光学フィルタ１０５ｃ、１２２ｃの組合せを示し、「フィルタ４」は光学フィルタ１０５ｄ、１２２ｄの組合せを示し、「フィルタ５」は光学フィルタ１０５ｅ、１２２ｅの組合せを示す（図示しない「フィルタ６」は光学フィルタ１０５ｆ、１２２ｆの組合せを示し、「フィルタ７」は光学フィルタ１０５ｇ、１２２ｇの組合せを示す）。
【０１３５】
関連情報３２ａは、各光学フィルタ（の組合せ）について、撮影種別とプロシジャを次のように関連付けている：（１）フィルタ８に対して、撮影種別「カラー」とプロシジャ「カラー用」を関連付ける；（２）フィルタ１に対して、撮影種別「ＦＡ」とプロシジャ「Ｂ／Ｗ用−１」を関連付ける；（３）フィルタ２に対して、撮影種別「ＩＣＧ」とプロシジャ「Ｂ／Ｗ用−２」を関連付ける；（４）フィルタ３に対して、撮影種別「自発蛍光」とプロシジャ「Ｂ／Ｗ用−２」を関連付ける；（５）フィルタ４に対して、撮影種別「グリーン」とプロシジャ「Ｂ／Ｗ用−１」を関連付ける；（６）フィルタ５に対して、撮影種別「ブルー」とプロシジャ「Ｂ／Ｗ用−１」を関連付ける（以降省略）。
【０１３６】
ここで、「Ｂ／Ｗ」とは、「Ｂｌａｃｋ／Ｗｈｉｔｅ」すなわちモノクロ撮影を意味している。また、「Ｂ／Ｗ用−１」、「Ｂ／Ｗ用−２」は、それぞれ、モノクロ撮影おける第１のプロシジャ、第２のプロシジャを意味している。
【０１３７】
次に、図１１に示す関連情報３２ｂについて説明する。この関連情報３２ｂは、プロシジャと、撮像装置９、１０のいずれか一方と、撮影時における撮像装置の設定とを関連付けるものである。換言すると、関連情報３２ｂは、各プロシジャの名称に対して、その内容を関連付けている。
【０１３８】
より具体的に説明すると、関連情報３２ｂは、次のような関連付けを定義している：（１）プロシジャ「カラー用」に対して、撮像装置「撮像装置−Ａ」と設定「＃１」を関連付ける；（２）プロシジャ「Ｂ／Ｗ用−１」に対して、撮像装置「撮像装置−Ｂ」と設定「＃１」を関連付ける；（３）プロシジャ「Ｂ／Ｗ用−２」に対して、撮像装置「撮像装置−Ｂ」と設定「＃２」を関連付ける（以降省略）。
【０１３９】
ここで、「撮像装置−Ａ」は撮像装置９を示し、「撮像装置−Ｂ」は撮像装置１０を示している。これらの情報「撮像装置−Ａ」、「撮像装置−Ｂ」は、それぞれ撮像装置９、１０の識別情報として予め定義されているものとする。また、設定「＃１」、「＃２」は、それぞれ、当該撮像装置における第１の設定、第２の設定をそれぞれ示している。
【０１４０】
次に、図１２に示す関連情報３２ｃについて説明する。この関連情報３２ｃは、撮像装置及びその設定に対し、当該設定の内容を関連付けるものである。この設定内容には、たとえば撮像素子９ａ、１０ａの撮影感度や撮影画素数、更には光量情報などが含まれている。
【０１４１】
関連情報３２ｃは、次のような関連付けを定義している：（１）設定「撮像装置−Ａ、＃１」に対して、撮影感度「ＩＳＯ２００」と、撮影画素数「２０００ｘ１５００」と、光量情報「＃３」とを関連付ける；（２）設定「撮像装置−Ｂ、＃１」に対して、撮影感度「Ｇａｉｎ  ６」と、撮影画素数「１６００ｘ１２００」と、光量情報「＃２」とを関連付ける；（３）設定「撮像装置−Ｂ、＃２」に対して、撮影感度「Ｇａｉｎ  １２」と、撮影画素数「１６００ｘ１２００」と、光量情報「＃１」とを関連付ける（以降省略）。なお、識別情報「＃１」〜「＃３」は、以下の光量テーブル３２ｄにより定義される複数の光量情報を識別するための情報である。
【０１４２】
次に、図１３に示す光量テーブル３２ｄについて説明する。光量テーブル３２ｄには、観察光量と撮影光量とを関連付ける三系列の光量情報＃１〜＃３が記録されている。各光量情報＃１〜＃３は、観察光量の各レベル０〜１０に対して撮影光量を関連付けている。
【０１４３】
光量テーブル３２ｄから容易に分かるように、光量情報＃１は高感度の撮影条件下において用いられ、光量情報＃３は低感度の撮影条件下において用いられる。すなわち、或る観察光量（たとえばレベル７）について、光量情報＃１、＃２、＃３の順に撮影光量が大きくなっていくので、撮影光量の小さな光量情報＃１は高感度の撮影条件下で用いられ、撮影光量の大きな光量情報＃３は低感度の撮影条件下で用いられることが分かる。
【０１４４】
図１４に示す光量グラフ３２ｄ′は、図１３の光量テーブル３２ｄをグラフで表現したものである。光量グラフ３２ｄ′には、グラフＴ１〜Ｔ３が定義されている。グラフＴ１、Ｔ２、Ｔ３は、それぞれ、光量テーブル３２ｄの光量情報＃１、＃２、＃３に対応している。
【０１４５】
光量テーブル３２ｄや光量グラフ３２ｄ′は、たとえば、第１の実施形態の光量情報５３１ａと同様に、眼底の観察及び撮影を含む多数の臨床データに基づいて作成することもできるし、眼球モデル等に基づいて理論的に作成することもできる。
【０１４６】
光量決定部３４は、観察光量の値の入力を受け、この観察光量値に関連付けられた撮影光量値を記憶部３２に記憶された情報に基づいて取得することにより、当該観察光量に対応する撮影光量を決定する。光量決定部３４及び記憶部３２は、この発明の「決定手段」の一例である。
【０１４７】
［動作態様］
以上のような構成を有する眼科撮影装置の動作態様を説明する。図１５〜図１７に示すフローチャートは、この眼科撮影装置の動作態様の一例を表している。これらのフローチャートに示す動作態様は、光学フィルタの選択に応じて撮影光量を決定して眼底撮影を行うときに適用される。
【０１４８】
まず、ユーザが、眼底カメラ１のフィルタ変更操作部３ｂを操作して、光学フィルタ１０５ａ〜１０５ｈ、１２２ａ〜１２２ｈの（前述の組合せの）選択を行う（Ｓ２１）。フィルタ部１０５、１２２は、選択された光学フィルタをそれぞれの光路上に配置させる（Ｓ２２）。
【０１４９】
また、フィルタ変更操作部３ｂは、ステップＳ２１の操作結果に応じた信号を制御部１１に入力する。制御部１１は、この信号に基づいて、当該操作結果、すなわち光学フィルタの選択結果を示す信号（操作信号）を生成する。そして、通信部１３を制御し、この操作信号を接続線Ｌを介してコンピュータ３０に送信する（Ｓ２３）。
【０１５０】
眼底カメラ１から送信された操作信号は、コンピュータ３０の通信部３８により受信されてデータ処理部３１に入力される。制御部３３は、当該操作信号を光量決定部３４に送るとともに、関連情報３２ａ〜３３ｃと光量テーブル３２ｄ（又は光量グラフ３２ｄ′）を記憶部３２から読み出して光量決定部３４に送る。
【０１５１】
光量決定部３４は、関連情報３２ａを参照し、当該操作信号に示す光学フィルタの選択結果に関連付けられた撮影種別とプロシジャを選択する（Ｓ２４）。制御部３３は、選択された撮影種別を示す情報（撮影種別情報）として、当該撮影種別の名称（略称）を表示部３５に表示させる（Ｓ２５）。
【０１５２】
次に、光量決定部３４は、関連情報３２ｂを参照し、ステップＳ２４で選択されたプロシジャに対応する撮像装置とその設定とを選択する（Ｓ２６）。更に、光量決定部３４は、関連情報３２ｃを参照し、ステップＳ２６での選択結果に対応する撮影感度と撮影画素数と光量情報とを選択する（Ｓ２７）。
【０１５３】
制御部３３は、通信部３８を制御して、ステップＳ２６にて選択された撮像装置の識別情報と、ステップＳ２７にて選択された撮影感度と撮影画素数の情報を、接続線Ｌを介して眼底カメラ１に送信する（Ｓ２８）。
【０１５４】
眼底カメラ１の通信部１３は、撮像装置の識別情報、撮影感度の情報及び撮影画素数の情報を受信して制御部１１に入力する。制御部１１は、この識別情報により特定される撮像装置９又は撮像装置１０を制御して、撮像素子９ａ又は撮像素子１０ａの撮影感度と撮影画素数をそれぞれ設定する（Ｓ２９）。
【０１５５】
撮像装置９又は撮像装置１０の設定が終了すると、制御部１１は、撮影可能な状態になったことを示す情報を呈示させる（Ｓ３０）。このとき、たとえば、その旨を示すメッセージを表示部１４に表示させることができる。また、眼底カメラ１の所定部位（たとえば操作ボタン４ａ）にＬＥＤ（Ｌｉｇｈｔ  Ｅｍｉｔｔｉｎｇ  Ｄｉｏｄｅ）等の報知用光源を設け、この報知用光源を点灯させてもよい。また、設定が終了したことを示す信号をコンピュータ３０に送信し、コンピュータ３０の表示部３５に同様の情報を呈示させることも可能である。
【０１５６】
次に、コンピュータ３０の制御部３３は、観察光量と撮影光量との連係制御を行うか判断する（Ｓ３１）。この判断は、たとえば次のようにして行われる。ステップＳ３１より前の任意の段階に、検者が操作部１５、３６等を操作して連係制御を行うか否かを選択するようにし、制御部３３は、この選択結果に応じて連動制御の実施の有無を判断する。
【０１５７】
〔連係制御を行わない場合〕
連係制御を行わないと判断された場合（Ｓ３１：Ｎ）、検者は、操作部１５により観察光源１０１を点灯させて、観察照明光を被検眼Ｅに投射する（Ｓ３２）。当初の観察光量としては、たとえばデフォルトの光量や前回の撮影時の光量が適用される。
【０１５８】
観察照明光は眼底Ｅｆにて反射される。ステップＳ２６で選択された撮像装置は、観察照明光の眼底反射光を受光して信号を出力する。制御部１１は、この信号に基づく眼底Ｅｆの観察画像を表示部１４に表示させる（Ｓ３３）。なお、眼底Ｅｆの観察画像を取得する代わりに、接眼レンズ１３０を介して肉眼で眼底Ｅｆを観察するようにしてもよい。
【０１５９】
検者は、眼底Ｅｆを観察しつつ、操作部１５を操作してアライメントやピント合わせを行う（Ｓ３４）。このとき、検者は、必要に応じ（観察画像が見にくい場合など）、操作部１５を操作して観察光量を調整する（Ｓ３５）。
【０１６０】
アライメント等が完了したら、検者は、操作部１５を操作することにより、必要に応じて撮影光量を調整した後に、眼底Ｅｆの画像撮影を指示する（Ｓ３６）。制御部１１は、撮影光源１０３を制御して撮影照明光（フラッシュ光）を出力させる（Ｓ３７）。
【０１６１】
撮影照明光は眼底Ｅｆにて反射される。ステップＳ２６で選択された撮像装置は、撮影照明光の眼底反射光を受光して信号を出力する。制御部１１は、通信部１３を制御して、撮像装置が出力した信号（眼底Ｅｆの撮影画像の画像データ）をコンピュータ３０に送信する（Ｓ３８）。
【０１６２】
コンピュータ３０の制御部３３は、通信部３８が受信した画像データを画像データ記憶部３７に記憶させる（Ｓ３９）。また、制御部３３は、この画像データに基づく眼底Ｅｆの撮影画像を表示部３５に表示させる（Ｓ４０）。検者は、表示された撮影画像を確認する（Ｓ４１）。満足な撮影画像が得られた場合には（Ｓ４１：Ｙ）、検査を終了する。
【０１６３】
一方、この撮影画像で満足できない場合、検者は、眼底カメラ１の操作部１５を操作して撮影光量を変更する（Ｓ４２）。そして、検者は、操作部１５を操作して、眼底Ｅｆの画像撮影を再度指示する（Ｓ３６）。ステップ３６〜ステップ４２を満足な撮影画像が得られるまで繰り返し、検査は終了となる。以上で、観察光量と撮影光量の連係制御を行わない場合の処理は終了となる。
【０１６４】
〔連係制御を行う場合〕
連係制御を行うと判断された場合（Ｓ３１：Ｙ）、検者は、操作部１５により観察光源５１２を点灯させて、観察照明光を被検眼Ｅに投射する（Ｓ５１）。当初の観察光量としては、たとえばデフォルトの光量や、当該被検眼Ｅの前回の撮影時の光量が適用される。
【０１６５】
観察照明光は眼底Ｅｆにて反射される。ステップＳ２６で選択された撮像装置は、観察照明光の眼底反射光を受光して信号を出力する。制御部１１は、この信号に基づく眼底Ｅｆの観察画像を表示部１４に表示させる（Ｓ５２）。なお、眼底Ｅｆの観察画像を取得する代わりに、接眼レンズ１３０を介して肉眼で眼底Ｅｆを観察してもよい。
【０１６６】
検者は、眼底Ｅｆを観察しつつ、操作部１５を操作してアライメントやピント合わせを行う（Ｓ５３）。
【０１６７】
このとき、検者は、必要に応じ（観察画像が見にくい場合など）、操作部１５を操作して観察光量を調整する（Ｓ５４）。制御部１１は、観察光量の調整操作がなされる度毎に、観察光源５１２を制御して観察光量を変更するとともに、通信部１３を制御して、新たな観察光量のレベルを表す情報をコンピュータ３０に送る（Ｓ５５）。
【０１６８】
コンピュータ３０の光量決定部３４は、光量テーブル３２ｄ（又は光量グラフ３２ｄ′）に基づいて、新たな観察光量のレベルに関連付けられた撮影光量を取得する（Ｓ５６）。なお、観察光量が変更されない場合、光量決定部３４は、当初の観察光量に関連付けられた撮影光量を取得する。
【０１６９】
制御部３３は、通信部３８を制御し、ステップ５６で取得された撮影光量の情報を眼底カメラ１に送信する（Ｓ５７）。眼底カメラ１の制御部１１は、この撮影光量の情報に基づいて撮影光源１０３を制御して撮影光量を設定する（Ｓ５８）。
【０１７０】
アライメント等が完了したら、検者は、操作部１５を操作して、眼底Ｅｆの画像撮影を指示する（Ｓ５９）。制御部１１は、撮影光源１０３を制御し、ステップ５８で設定された撮影光量の撮影照明光（フラッシュ光）を出力させる（Ｓ６０）。
【０１７１】
撮影照明光は眼底Ｅｆにて反射される。ステップＳ２６で選択された撮像装置は、撮影照明光の眼底反射光を受光して信号を出力する。制御部１１は、通信部１３を制御して、撮像装置が出力した信号（眼底Ｅｆの撮影画像の画像データ）をコンピュータ３０に送信する（Ｓ６１）。
【０１７２】
コンピュータ３０の制御部３３は、通信部３８が受信した画像データを画像データ記憶部３７に記憶させる（Ｓ６２）。また、制御部３３は、この画像データに基づく眼底Ｅｆの撮影画像を表示部３５に表示させる（Ｓ６３）。検者は、表示された撮影画像を確認する（Ｓ６４）。満足な撮影画像が得られた場合には（Ｓ６４：Ｙ）、検査を終了する。
【０１７３】
一方、この撮影画像で満足できない場合、検者は、眼底カメラ１の操作部１５を操作して撮影光量を変更する（Ｓ６５）。そして、検者は、操作部１５を操作して、眼底Ｅｆの画像撮影を再度指示する（Ｓ５９）。ステップ５９〜ステップ６５を満足な撮影画像が得られるまで繰り返し、検査は終了となる。以上で、観察光量と撮影光量の連係制御を行う場合の処理は終了となる。
【０１７４】
なお、上記の動作態様では、観察光量が変更される度毎に撮影光量を決定しているが、撮影光量を決定する処理を実行するタイミングはこれに限定されるものではない。たとえば、撮影の指示（ステップＳ５９）がなされたことに対応して、この指示の直前の観察光量に応じた撮影光量を求め、この撮影光量の撮影照明光を出力して眼底Ｅｆを撮影するように構成することが可能である。なお、この場合には、撮影の指示から撮影照明光の出力までの時間差を小さくするために、処理性能の高いマイクロプロセッサ４１を用いるなどの工夫を施すことが望ましい。
【０１７５】
［作用・効果］
この実施形態に係る眼底撮影装置の作用及び効果を説明する。
【０１７６】
この眼底撮影装置の照明光学系１００は、観察照明光と撮影照明光とを切り替えて眼底Ｅｆに投射し、撮影光学系１２０は、観察照明光の眼底反射光や撮影照明光の眼底反射光を受光して信号を出力する撮像装置９、１０を有する。撮像装置９、１０は、切り替えて使用される。表示部１４や表示部３５は、これらの信号に基づく眼底Ｅｆの画像を表示する。
【０１７７】
光量決定部３４は、眼底Ｅｆに投射された観察照明光の光量（観察光量）に基づいて撮影照明光の光量（撮影光量）を決定する。特に、光量決定部３４は、記憶部３２に予め記憶された光量テーブル３２ｄや光量グラフ３２ｄ′（光量情報）を参照して撮影光量を決定する。
【０１７８】
制御部３３は、検者による撮影の指示を受けて、光量決定部３４により決定された撮影光量の撮影照明光を眼底Ｅｆに投射させるように照明光学系１００（撮影光源１０３）を制御する。
【０１７９】
このような眼底撮影装置によれば、観察光量の設定値に応じた撮影光量を自動的に決定することができるので、眼底Ｅｆの撮影作業の容易化を図ることが可能である。
【０１８０】
なお、自動的に決定された撮影光量が適当でなかった場合には、撮影光量を手動で調整することが可能である。この場合であっても、被検眼Ｅの状態が通常と大きく異なるようなケース（たとえば混濁が強い被検眼など）を除けば、撮影光量の調整量は一般に小さくて済む。したがって、試行錯誤して適切な撮影光量を探す必要のあった従来の装置と比較して、撮影光量の設定作業を容易に行うことができる。
【０１８１】
また、この眼底撮影装置は、次のような作用及び効果を奏する。照明光学系１００には、その光路上に挿入可能な複数の光学フィルタ１０５ａ〜１０５ｈが設けられている。光学フィルタ１０５ａ〜１０５ｈは、照明光学系１００の光路上に択一的に配置される。また、撮影光学系１２０には、その光路上に挿入可能な複数の光学フィルタ１２２ａ〜１２２ｈが設けられている。光学フィルタ１２２ａ〜１２２ｈは、撮影光学系１２０の光路上に択一的に配置される。
【０１８２】
更に、記憶部３２には、関連情報３２ａ〜３２ｃ及び光学情報３２ｄ、３２ｄ′が予め記憶されている。撮影に使用される光学フィルタが指定されると、光量決定部３４は、まず、指定された光学フィルタに応じた撮影種別及びプロシジャを特定し（関連情報３２ａ）、このプロシジャに応じた撮像装置及び設定を特定し（関連情報３２ｂ）、この設定に応じた撮影感度、撮影画素数及び光量情報を特定する（関連情報３２ｃ）。更に、光量決定部３４は、特定された光量情報に基づいて、適宜に設定される観察光量に応じた撮影光量を決定する。
【０１８３】
眼底カメラ１は、指定された光学フィルタを光路上に配置させ、特定された撮像装置の撮影感度や撮影画素数の設定を行い、決定された撮影光量の撮影照明光を撮影光源１０３に出力させることにより、眼底Ｅｆの撮影を行う。
【０１８４】
このような眼底撮影装置によれば、指定された光学フィルタに応じた光量情報を自動的に選択し、この光量情報を参照して観察光量に応じた撮影光量を決定することができるので、撮影に使用する光学フィルタに応じた撮影光量を容易に設定できるという利点がある。
【０１８５】
また、この眼底撮影装置は、装置本体としての眼底カメラ１と、コンピュータ３０とが個別の筐体を有している。眼底カメラ１側で観察光量が設定されると、この観察光量の設定値がコンピュータ３０に送信される。コンピュータ３０は、この観察光量に応じた撮影光量を決定し、この撮影光量の値を眼底カメラ１に送信する。眼底カメラ１は、この撮影光量の撮影照明光を使用して眼底Ｅｆの撮影を行う。
【０１８６】
このような眼底撮影装置によれば、眼底カメラ１（装置本体）とコンピュータ３０とがそれぞれ個別の筐体として構成されている場合であっても、観察光量に応じた撮影光量を容易に設定することが可能である。
【０１８７】
特に、眼底カメラ１側を操作している状態においてコンピュータ３０が撮影光量を自動的に決定するようになっている。よって、検者は眼底カメラ１を操作するだけでよいので、コンピュータ３０側に眼を移すことなく検査に集中できるというメリットもある。
【０１８８】
また、この眼底撮影装置によれば、撮影光量を自動的に決定する処理を実行するか否かを選択することができる。被検眼の状態などを勘案して撮影光量の自動決定を実行させるか判断できるので、装置の利便性の向上を図ることができる。
【０１８９】
［変形例］
上記の眼底撮影装置は、指定された光学フィルタに応じた光量情報を選択的に使用して撮影光量を決定するように構成されているが、この発明に係る眼底撮影装置はこれに限定されるものではない。
【０１９０】
たとえば、複数の撮影条件のうちから任意の撮影条件を指定可能に構成されている場合において、指定された撮影条件に応じた光学情報を選択的に使用して撮影光量を決定するように構成するように構成することが可能である。
【０１９１】
その一例として、複数の撮影条件を選択的に指定する指定手段と、複数の撮影条件のそれぞれに対応する光量情報を予め記憶する記憶手段と、指定手段により指定された撮影条件に対応する光量情報を選択的に使用して撮影照明光の光量を取得する決定手段とを備える眼底撮影装置を適用することができる。
【０１９２】
このような眼底撮影装置によれば、指定された撮影条件に応じた光量情報を自動的に選択し、この光量情報を参照して観察光量に応じた撮影光量を決定することができるので、撮影条件に応じた撮影光量を容易に設定できるという利点がある。以下、このような眼底撮影装置の例を説明する。
【０１９３】
第１の例として、複数の撮像装置を備える眼底撮影装置に適用可能な構成を説明する。この眼底撮影装置は、観察照明光と撮影照明光とを切り替えて眼底に投射する照明光学系と、これら照明光の眼底反射光を受光して信号を出力する複数の撮像装置を含む撮影光学系とを備える。この照明光学系は、たとえば上記照明光学系１００と同様に構成される。また、この撮影光学系は、たとえば上記撮影光学系１２０と同様に構成される。なお、撮影光学系１２０には二つの撮像装置９、１０が設けられているが、撮影光学系に搭載される撮像装置の個数は三つ以上であってもよい。
【０１９４】
また、この眼底撮影装置は、複数の撮像装置のそれぞれに対応する光量情報を予め記憶する記憶手段を有する。この記憶手段は、たとえばハードディスクドライブ等の記憶装置を含んで構成される。この記憶手段には、複数の撮像装置のそれぞれに対応付けられた光量情報が記憶されている。すなわち、撮像装置の個数をＮ（≧２）とすると、記憶手段には、第ｉの撮像装置に対応する第ｉの光量情報が記憶されている（ｉ＝１、２、・・・、Ｎ）。なお、全ての光量情報が重複する場合を除いて、第ｉの光量情報と第ｊの光量情報とが重複していてもよい（ｉ≠ｊ）。
【０１９５】
また、この眼底撮影装置は、複数の撮像装置を選択的に指定する指定手段を有する。この指定手段は、たとえば上記の操作部１５のような操作デバイスにより構成される。
【０１９６】
更に、この眼底撮影装置は、指定手段により指定された撮像装置に対応する光量情報に基づいて観察光量に応じた撮影光量を決定する決定手段と、この撮影光量の撮影照明光を投射させるとともに、指定された撮像装置に撮影照明光の眼底反射光を受光させる制御手段を備える。
【０１９７】
たとえば、第ｉの撮像装置が指定されたときに、決定手段は、第ｉの撮像装置に対応付けられた第ｉの光量情報を選択し、この第ｉの光量情報に基づいて観察光量に応じた撮影光量を決定する。制御手段は、照明光学系を制御して、この撮影光量の撮影照明光を出力させる。更に、制御手段は、撮影光学系を制御して、第ｉの撮像装置に撮影照明光の眼底反射光を受光させる（すなわち、第ｉの撮像装置を用いて眼底撮影を行わせる）。
【０１９８】
このような眼底撮影装置によれば、複数の撮像装置を選択的に使用可能な構成において、使用される撮像装置に応じた光量情報を自動的に選択し、この光量情報を参照して観察光量に応じた撮影光量を決定して撮影を行うことができるので、撮像装置に応じた撮影光量を容易に設定することが可能である。
【０１９９】
第２の例として、複数の撮影種別を選択的に実施可能な眼底撮影装置に適用できる構成を説明する。ここで、撮影種別とは、前述のように撮影方法の種類を示すものであり、カラー撮影、ＦＡ撮影、ＩＣＧ撮影、自発蛍光撮影、グリーン撮影、ブルー撮影などがある。
【０２００】
この眼底撮影装置は、観察照明光と撮影照明光とを切り替えて眼底に投射する照明光学系と、これら照明光の眼底反射光を受光して信号を出力する撮影手段を含む撮影光学系とを備える。
【０２０１】
また、この眼底撮影装置は、複数の撮影種別のそれぞれに対応する光量情報を予め記憶する記憶手段を有する。この記憶手段には、複数の撮影種別のそれぞれに対応付けられた光量情報が記憶されている。すなわち、撮影種別の個数をＮ（≧２）とすると、記憶手段には、第ｉの撮影種別に対応する第ｉの光量情報が記憶されている（ｉ＝１、２、・・・、Ｎ）。なお、全ての光量情報が重複する場合を除いて、第ｉの光量情報と第ｊの光量情報とが重複していてもよい（ｉ≠ｊ）。
【０２０２】
また、この眼底撮影装置は、複数の撮影種別を選択的に指定する指定手段を有する。
【０２０３】
更に、この眼底撮影装置は、指定手段により指定された撮影種別に対応する光量情報に基づいて観察光量に応じた撮影光量を決定する決定手段と、この撮影光量の撮影照明光を投射させるように照明光学系を制御するとともに、指定された撮影種別を実施させるように照明光学系や撮影光学系を制御する制御手段を備える。この光学系の制御としては、たとえば、光学フィルタを光路上に配置させる動作の制御、使用する撮像装置の選択する動作の制御、撮像装置の撮影感度や撮影画素数を設定する動作の制御などがある。
【０２０４】
このような眼底撮影装置によれば、複数の撮影種別を選択的に使用可能な構成において、適用される撮影種別に応じた光量情報を自動的に選択し、この光量情報を参照して観察光量に応じた撮影光量を決定して撮影を行うことができるので、撮影種別に応じた撮影光量を容易に設定することが可能である。
【０２０５】
第３の例として、被検眼の状態に応じて撮影態様を変更するように構成された眼底撮影装置がある。ここで、被検眼の状態としては、瞳孔径、混濁の有無、混濁の度合いや位置、眼底による光の反射率などがある。
【０２０６】
この眼底撮影装置は、観察照明光と撮影照明光とを切り替えて眼底に投射する照明光学系と、これら照明光の眼底反射光を受光して信号を出力する撮影手段を含む撮影光学系とを備える。
【０２０７】
また、この眼底撮影装置は、眼底の複数の状態のそれぞれに対応する光量情報を予め記憶する記憶手段を有する。この記憶手段には、眼底の複数の状態のそれぞれに対応付けられた光量情報が記憶されている。すなわち、眼底の状態の数をＮ（≧２）とすると、記憶手段には、第ｉの状態に対応する第ｉの光量情報が記憶されている（ｉ＝１、２、・・・、Ｎ）。なお、全ての光量情報が重複する場合を除いて、第ｉの光量情報と第ｊの光量情報とが重複していてもよい（ｉ≠ｊ）。
【０２０８】
また、この眼底撮影装置は、眼底の複数の状態を選択的に指定する指定手段を有する。
【０２０９】
更に、この眼底撮影装置は、指定手段により指定された眼底の状態に対応する光量情報に基づいて観察光量に応じた撮影光量を決定する決定手段と、この撮影光量の撮影照明光を投射させるように照明光学系を制御する制御手段を備える。
【０２１０】
このような眼底撮影装置によれば、眼底の複数の状態を選択的に使用可能な構成において、指定された状態に応じた光量情報を自動的に選択し、この光量情報を参照して観察光量に応じた撮影光量を決定して撮影を行うことができるので、眼底の状態に応じた撮影光量を容易に設定することが可能である。
【０２１１】
蛍光撮影を実施する場合について説明する。蛍光撮影は、被検者に蛍光剤を静注して血管を造影することにより、眼底血管の状態の詳細な把握を目的とする検査である。蛍光撮影においては、蛍光剤を静注後、まず、大きな観察光量で眼底を観察して蛍光剤の流入を待つ。蛍光剤が流入してきたら観察光量を一気に小さくする。これは、初期には蛍光剤の血中濃度が高く、強い蛍光が発せられるため、蛍光剤が観察野に流入する前後において光量に大きな差が生じることによる。
【０２１２】
なお、蛍光剤が観察野に流入してくるところを撮影したい場合には、静注からの経過時間を参照して、流入前から撮影を開始する。本例では、フラッシュ光を断続的に出力して経時的な静止画像を撮影するものとする。
【０２１３】
上記のように蛍光剤の流入前後において観察光量が大きく変化することに対応し、撮影光量も大きく変化させる必要がある。このときの撮影光量の調整作業は難しく、調整に失敗した場合には再検査を行うこともあった。
【０２１４】
この実施形態に係る眼底撮影装置によれば、観察光量に応じた撮影光量が自動的に設定されて撮影を行うことができるので、撮影光量の調整作業の容易化を図ることができ、更に失敗の可能性も低くなる。
【０２１５】
また、蛍光撮影においては、蛍光剤の血中濃度が時々刻々と変化する状況下で、観察光量を適宜に調整しつつタイミングを見計らって複数回の撮影を行う。従来、検者は、観察光量の調整、眼底の観察、撮影光量の調整、撮影画像の確認など、様々な作業を並行的に進めながら検査を行っていた。そのため、撮影光量の設定を間違えたり、撮影タイミングを逃したりといった事態が発生するおそれがあった。
【０２１６】
この実施形態に係る眼底撮影装置によれば、撮影の指示の直前の観察光量に応じた撮影光量を自動的に設定して撮影を行うことができるので、蛍光撮影の作業を好適に支援することができ、上記の事態が発生する可能性の低減を図ることができる。
【図面の簡単な説明】
【０２１７】
【図１】この発明に係る眼底撮影装置の実施形態の構成の一例を表す概略ブロック図である。
【図２】この発明に係る眼底撮影装置の実施形態に記憶された光量情報の一例を表す概略図である。
【図３】この発明に係る眼底撮影装置の実施形態の動作態様の一例を表すフローチャートである。
【図４】この発明に係る眼科撮影装置の実施形態の全体構成の一例を表す概略ブロック図である。
【図５】この発明に係る眼科撮影装置の実施形態における眼底カメラの外観構成の一例を表す概略側面図である。
【図６】この発明に係る眼科撮影装置の実施形態における眼底カメラの光学系の構成の一例を表す概略側面図である。
【図７】この発明に係る眼科撮影装置の実施形態における眼底カメラの光学系の構成の一例を表す概略側面図である。
【図８】この発明に係る眼科撮影装置の実施形態における眼底カメラの光学系の構成の一例を表す概略側面図である。
【図９】この発明に係る眼科撮影装置の実施形態におけるコンピュータのハードウェア構成の一例を表す概略ブロック図である。
【図１０】この発明に係る眼科撮影装置の実施形態におけるコンピュータに記憶された関連情報の態様の一例を表す概略図である。
【図１１】この発明に係る眼科撮影装置の実施形態におけるコンピュータに記憶された関連情報の態様の一例を表す概略図である。
【図１２】この発明に係る眼科撮影装置の実施形態におけるコンピュータに記憶された関連情報の態様の一例を表す概略図である。
【図１３】この発明に係る眼科撮影装置の実施形態におけるコンピュータに記憶された光量情報の一例を表す概略図である。
【図１４】この発明に係る眼科撮影装置の実施形態におけるコンピュータに記憶された光量情報の一例を表す概略図である。
【図１５】この発明に係る眼科撮影装置の実施形態の動作態様の一例を表すフローチャートである。
【図１６】この発明に係る眼科撮影装置の実施形態の動作態様の一例を表すフローチャートである。
【図１７】この発明に係る眼科撮影装置の実施形態の動作態様の一例を表すフローチャートである。
【符号の説明】
【０２１８】
１  眼底カメラ
３ａ  操作パネル
９、１０  撮像装置
１１  制御部
１２  記憶部
１３  通信部
１４  表示部
１５  操作部
１００  照明光学系
１０１  観察光源
１０３  撮影光源
１０５  フィルタ部
１０５ａ〜１０５ｈ  光学フィルタ
１２０  撮影光学系
１２２  フィルタ部
１２２ａ〜１２２ｈ  光学フィルタ
３０  コンピュータ
３１  データ処理部
３２  記憶部
３２ａ、３２ｂ、３２ｃ  関連情報
３２ｄ  光量テーブル
３２ｄ′  光量グラフ
３３  制御部
３４  光量決定部
３５  表示部
３６  操作部
３７  画像データ記憶部
３８  通信部
５００  眼底撮影装置
５１０  光学系
５１１  照明光学系
５１２  観察光源
５１３  撮影光源
５１４  撮影光学系
５１５  撮像装置
５２０  制御部
５３０  光量決定部
５３１  記憶部
５３１ａ  光量情報
５４０  表示部
５５０  操作部
【図１】
0005117801.tif 000002
【図２】
0005117801.tif 000003
【図３】
0005117801.tif 000004
【図４】
0005117801.tif 000005
【図５】
0005117801.tif 000006
【図６】
0005117801.tif 000007
【図７】
0005117801.tif 000008
【図８】
0005117801.tif 000009
【図９】
0005117801.tif 000010
【図１０】
0005117801.tif 000011
【図１１】
0005117801.tif 000012
【図１２】
0005117801.tif 000013
【図１３】
0005117801.tif 000014
【図１４】
0005117801.tif 000015
【図１５】
0005117801.tif 000016
【図１６】
0005117801.tif 000017
【図１７】
0005117801.tif 000018